(57)【特許請求の範囲】
【請求項１】
ハウジングと、
前記ハウジング内に設けられた印字部と、
前記ハウジングの後部に設けられ、両側部に一定の間隔で送り孔が形成された連続用紙を前記印字部に向けて搬送するトラクタと、
前記トラクタにおける前記連続用紙の搬送方向上流側に設けられ、前記連続用紙の送り孔が嵌め込まれるピンと前記ピン上を開放閉止自在な紙押え板とを有して前記連続用紙がセットされるセット部と、
前記トラクタを、前記トラクタにおける前記連続用紙の搬送方向下流側を前記印字部の前記連続用紙の搬送方向上流側に連絡させる第１位置と、前記セット部へ前記連続用紙をセットするに際して、前記トラクタと前記印字部との連絡を解除するととともに少なくとも前記セット部を前記ハウジングの後方に張り出させる第２位置と、に変位自在に支持する支持機構と、
を備えるプリンタ。
【請求項２】
前記支持機構は、
前記トラクタに設けられて軸方向を前記連続用紙の紙幅方向とする支軸と、
前記ハウジングに設けられて前記支軸を回動自在に保持する保持部と、
を備え、
前記トラクタは、前記支軸を中心に回動して前記第１位置と前記第２位置とに変位する、請求項１記載のプリンタ。
【請求項３】
前記トラクタでの前記連続用紙の搬送開始と連動させて、前記第２位置に支持された前記トラクタを前記第１位置に変位させる連動機構を備える、
請求項２記載のプリンタ。
【発明の詳細な説明】
【技術分野】
【０００１】
本発明は、両側部に送り孔が形成された連続用紙を搬送するトラクタを備えたプリンタに関する。
【背景技術】
【０００２】
従来、連続用紙の両側部に形成された送り孔にピンベルトのピンを嵌め込ませて連続用紙を搬送するトラクタを備えるプリンタにおいて、トラクタは、用紙経路中で印字部の上流側で連続用紙を印字部に押し出す方式（例えば、特許文献１）のものがある。
【０００３】
ここで、トラクタは、ハウジングの前面に表示部や入力装置を有するプリンタである事務機に備えられる場合、ハウジングの後面に配置されて使用される。このとき、排紙口がハウジング上面に設けられ、この排紙口の上流側に設けられた印字部に向けて後方から連続用紙を搬送する（例えば、特許文献２）。ここで、トラクタに連続用紙をセットする際には、ピンベルトの上方を開放する開閉自在な紙押え板を開いてピンを送り孔に嵌め込ませた後、紙押え板を閉じて連続用紙をピンベルトに押える。
【０００４】
【特許文献１】実開平６−４２１８７号公報
【特許文献２】特開平１０−３３８４００号公報
【発明の開示】
【発明が解決しようとする課題】
【０００５】
この種の事務機の操作者が、前述したような用紙セット作業を行う場合、正面から事務機越しに用紙セット作業を行うことが多い。そのため、用紙セット作業がし易いように、トラクタは、ハウジング後方から突出して高い位置に配置されていることが望ましい。
【０００６】
しかし、このようにトラクタを配置すると、トラクタと印字部との間には距離が開いて長い用紙経路が形成されてしまうことになる。この用紙経路においては、連続用紙がピンにより規制されないため、搬送時の位置ズレ等の搬送ミスが発生してしまう。特許文献２には、トラクタから印字部に至る用紙経路全域をベルト機構で覆い、連続用紙を挟みこんで搬送することにより用紙送り精度を向上させる技術が開示されているが、ピンベルトのピンによる連続用紙の規制は無く、搬送時の位置ズレ等が解消されるものではない。また、複数枚の用紙がセットとなってインパクトヘッドによって印字する伝票などの多部紙では、用紙経路の屈曲が大きいと用紙の一枚目のページと最終ページとの印字位置が大きくずれる可能性がある。
【０００７】
本発明の目的は、トラクタへ連続用紙をセットするに際しての作業性が良好であり、トラクタと印字部との間で連続用紙が搬送時に位置ズレ等が起き難いプリンタを提供することである。
【課題を解決するための手段】
【０００８】
本発明のプリンタは、ハウジングと、前記ハウジング内に設けられた印字部と、前記ハウジングの後部に設けられ、両側部に一定の間隔で送り孔が形成された連続用紙を前記印字部に向けて搬送するトラクタと、前記トラクタにおける前記連続用紙の搬送方向上流側に設けられ、前記連続用紙の送り孔が嵌め込まれるピンと前記ピン上を開放閉止自在な紙押え板とを有して前記連続用紙がセットされるセット部と、前記トラクタを、前記トラクタにおける前記連続用紙の搬送方向下流側を前記印字部の前記連続用紙の搬送方向上流側に連絡させる第１位置と、前記セット部へ前記連続用紙をセットするに際して、前記トラクタと前記印字部との連絡を解除するととともに少なくとも前記セット部を前記ハウジングの後方に張り出させる第２位置と、に変位自在に支持する支持機構と、を備える。
【発明の効果】
【０００９】
本発明によれば、トラクタへ連続用紙をセットするに際しての作業性が良好であり、トラクタと印字部との間で連続用紙が搬送時に位置ズレ等が起き難いプリンタを提供することができる。
【発明を実施するための最良の形態】
【００１０】
本発明の実施の一形態を図１ないし図７に基づいて説明する。本実施の形態は、ハウジング前面に表示器およびキーボート等を備える事務機Ｐへの適用例を示す。
【００１１】
図１は、本実施の形態の事務機Ｐを概略的に示す縦断側面図である。事務機Ｐのハウジング１には印字部２が設けられている。この印字部２は、例えばワイヤードットヘッドからなる印字ヘッド３とこの印字ヘッド３に対向配置された平型のプラテン４とにより形成されている。ここで、プラテン４は回転自在なプラテンローラ等であってもよい。印字ヘッド３は、プラテン４の長手方向に沿って配置されたキャリアシャフト（図示せず）に移動可能に支持され、図示しない駆動部により往復駆動され、印字ヘッド３のワイヤーを用紙に押し当てるインパクト力によって印字するように構成されている。
【００１２】
また、ハウジング１の前面には表示器５が設けられ、その下方にはキーボード６が設けられている。さらに、ハウジング１の内部には、キーボード６の近傍に形成された手差口７から印字部２に至る前面用紙経路８が形成されて設けられている。前面用紙経路８には対をなす複数組の搬送ローラ９が配列され、印字部２の上部には印字済みの用紙をハウジング１上面に形成された排紙口１０に向けて排紙する排紙ローラ１１が配列されている。そして、排紙口１０後方には排紙された用紙を支持する排紙受け１２が設けられている。
【００１３】
そして、ハウジング１の後部には、連続用紙を印字部２へ向けて給紙する直線状のトラクタ１５が設けられている。なお、連続用紙は、ミシン目で折りたたまれて両側部に一定の間隔で送り孔が形成された伝票等である。
【００１４】
トラクタ１５の両側部には、軸方向が搬送される連続用紙の紙幅方向である支軸１６が備えられており、この支軸１６が保持部としてのハウジング１に回動自在に保持されている。
【００１５】
そして、トラクタ１５は、終端側を始端側よりも上位に位置させてこの終端側を前面用紙経路８の印字部２上流側に連絡させる位置である実線で示す第１位置（以下、給紙位置と称する）と、支軸１６を中心に回動させて、始端側の位置を給紙位置での位置よりも上位に位置付ける位置である二点鎖線で示す第２位置（以下、セット位置と称する）と、に変位自在に設けられている。
【００１６】
給紙位置でのトラクタ１５では、連続用紙が印字部２へ向けて押し上げられるように案内される用紙経路１４が形成される。また、セット位置でのトラクタ１５では始端側がハウジング１後方に張り出している。
【００１７】
図２は、給紙位置におけるトラクタ１５を示す斜視図である。トラクタ１５は、用紙搬送方向に沿って対向配置された一対のベルト支持部２０を、互いに平行な固定シャフト２１と駆動シャフト２２とにこれらのシャフトの軸方向に移動可能に取り付けられている。そのため、一対のベルト支持部２０を固定シャフト２１に沿って移動させることで、紙幅の異なる連続用紙が使用可能になっている。
【００１８】
ベルト支持部２０は、駆動シャフト２２から回転力を受けることが可能な駆動輪（図示しない）とこの駆動輪により駆動される後述するピンベルト３１とを備える。そして、駆動シャフト２２の一端には後述するトラクタギヤ２３が固定されて取り付けられている。このトラクタギヤ２３は、後述する正逆回転可能な搬送モータ４１から駆動力を伝達されて、これにより駆動シャフト２２は回転駆動される。
【００１９】
また、トラクタ１５は、一対のベルト支持部２０の間に位置させて複数の用紙ガイド２５を備えている。用紙ガイド２５は、ベルト支持部２０と同様に、固定シャフト２１の軸方向に移動可能に取り付けられている。連続用紙は、この用紙ガイド２５の上面に載置されて搬送される。なお、用紙ガイド２５には上面に、用紙経路方向に沿って複数本の溝が形成されている。このような溝を設けることで、上面に載置される連続用紙との摩擦を減少させている。
【００２０】
さらに、トラクタ１５は下面にベース板２６を備えている。このベース板２６は下方から後述するカム板４８によって当接されて、トラクタ１５のセット位置が保持される。
【００２１】
図３は、トラクタ１５の一部を拡大して示す斜視図である。ただし、一対のベルト支持部２０のうち一方のみを示している。
【００２２】
ベルト支持部２０が回転自在に支持するピンベルト３１の外周面には、先端が細くなるピン３２が一体的に突出形成されている。ピン３２は連続用紙の送り孔と等間隔に形成されている。なお、ピン３２の直径は、連続用紙の送り孔の孔径よりも小さく形成されており、連続用紙の送り孔はピン３２に対して遊びを持って嵌め込まれる。
【００２３】
ベルト支持部２０の上面には、連続用紙を支える案内面３３が形成されている。そして、始端側の上面側に位置させてピンベルト３１および案内面３３を開放する開閉自在な紙押え板３４が備えられており、終端側の上面側に位置させて取り外し不可に紙押え部材３５が備えられている。そして、案内面３３と紙押え板３４および紙押え部材３５との間を連続用紙が搬送される。ここで、ベルト支持部２０の紙押え板３４が備えられた部位をセット部２０ａと、紙押え部材３５が備えられた部位をガイド部２０ｂと称する。
【００２４】
紙押え板３４は、その外側の側縁に一体に形成された板ヒンジ片３７を備えている。また、ベルト支持部２０のセット部２０ａの外側の側面にはヒンジ片３６が一体に形成されており、このヒンジ片３６に板ヒンジ片３７がヒンジピン（図示せず）を介して支持されることで、紙押え板３４はセット部２０ａに対して開閉可能となっている。そして、紙押え板３４の内側端部には把持部３８が形成されており、紙押え板３４を開閉させる際に把持されて使用される。また、紙押え板３４にはピンベルト３１のピン３２との干渉を避けるための長孔３４ａが形成されている。
【００２５】
一方、紙押え部材３５は、紙押え板３４と同様にピンベルト３１のピン３２との干渉を避けるための長孔３５ａを有する。そして、ベルト支持部２０に対して移動不可に固定される。
【００２６】
次に、ピンベルト３１の回転開始と連動させてトラクタ１５をセット位置から給紙位置へ変位させる連動機構３９について図４および図７に基づいて説明する。
【００２７】
図４は、セット位置のトラクタ１５を概略的に示す側面図であり、図５は、その斜視図である。また、図６は、給紙位置のトラクタ１５を概略的に示す側面図であり、図７は、その斜視図である。
【００２８】
前述したように、駆動シャフト２２の一端にはトラクタギヤ２３が固定されて取り付けられている。このトラクタギヤ２３は、アイドルギヤ４０を介して、搬送モータ４１に連結されたモータギヤ４２と噛み合っている。そのため、搬送モータ４１の駆動力がモータギヤ４２、アイドルギヤ４０、トラクタギヤ２３の順に伝達されて、駆動シャフト２２が回転される。
【００２９】
ところで、アイドルギヤ４０は、クラッチ軸４３に固定されており、このクラッチ軸４３には、アイドルギヤ４０に隣接させてクラッチギヤ４４が回転自在に取り付けられている。そして、このクラッチギヤ４４は、クラッチ軸４３の一端に設けられた電磁クラッチ４５によりクラッチ軸４３と断続する。
【００３０】
クラッチギヤ４４は、カム軸４６に固定された回転ギヤ４７と噛み合っており、クラッチギヤ４４の回転が回転ギヤ４７に伝達される。そして、カム軸４６には、カム軸４６に一体的に形成されてカム軸４６と一体に回動するカム板４８が備えられている。このカム板４８は、その先端部がセット位置にあるトラクタ１５のベース板２６の中心部を下方から支持するものである（図４および図５）。
【００３１】
ベース板２６の下面には突出形成された突起片４９が設けられており、カム板４８の先端部がベース板２６および突起片４９と当接されて、トラクタ１５はセット位置が維持されている。
【００３２】
ここで、連動機構３９は、搬送モータ４１が正回転駆動してトラクタギヤ２３が連続用紙を搬送させる方向に回転されたときに、カム板４８が前方に倒伏する方向へ駆動力が伝達される構造である。
【００３３】
このとき、ハウジング１に設けられた図示しない制御回路により、電磁クラッチ４５に対する通電が搬送モータ４１への通電から所定の時間経過後に切れるよう設定されており、カム板４８が倒伏しすぎてハウジング１や他の部材と接触しないように構成されている。
【００３４】
そして、カム板４８の倒伏によりカム板４８の先端部がベース板２６から外れ、支えを失ったトラクタ１５は、その始端が支軸１６を中心にして自重により回動されて下がり、ベース板２６がカム軸４６に当接して支持されて給紙位置となる（図６および図７）。
【００３５】
なお、支軸１６とクラッチ軸４３とは軸中心が同じであるため、トラクタ１５が変位して回動されても、トラクタギヤ２３とアイドルギヤ４０とは、常に噛み合った状態が維持される。
【００３６】
このような構成において、セット位置にあるトラクタ１５のセット部２０ａ上面側に備えられた紙押え板３４を開いてピンベルト３１の上方を開放し、この状態で連続用紙の両側部に等間隔で配列された送り孔にピンベルト３１のピン３２を嵌め込ませた後に、紙押え板３４を閉じて連続用紙をピンベルト３１上に押さえる。
【００３７】
ここで、セット位置にあるトラクタ１５は、カム板４８の先端部位によりベース板２６が支持されて支軸１６を中心に始端が回動されて持ち上げられて、紙押え板３４がハウジング１後方に張り出しているため、操作者が事務機Ｐ越しに紙押え板３４を視認し易く、また高位置にあるため、紙押え板３４の開閉に対する操作性が良好となっている（図４および図５参照）。
【００３８】
そして、搬送モータ４１が通電されて駆動シャフト２２を駆動してピンベルト３１を回転させることにより連続用紙の搬送が開始される。
【００３９】
このとき、搬送モータ４１への通電と同時に電磁クラッチ４５も通電される。すると、クラッチギヤ４４とクラッチ軸４３とが連結されて、搬送モータ４１の駆動力が、モータギヤ４２、アイドルギヤ４０、クラッチ軸４３、クラッチギヤ４４、回転ギヤ４７、カム軸４６の順に伝達されて、直立状態のカム板４８が連続用紙の搬送方向に倒伏する。すると、カム板４８の先端部がベース板２６から外れ、支えを失ったトラクタ１５は、支軸１６を中心にその始端が自重により回動されて下がり、セット位置から給紙位置に変位する（図６および図７参照）。このようにして、トラクタ１５における連続用紙の搬送開始とセット位置から給紙位置への変位とが連動して行われる。
【００４０】
一方、電磁クラッチ４５に対する通電は、前述したように、連続用紙の搬送開始から所定の時間経過後に解除される。
【００４１】
そして、電磁クラッチ４５への通電解除後も、搬送モータ４１への通電は継続されるため、引き続き搬送モータ４１の駆動力が駆動シャフト２２に伝達されて、連続用紙は印字部２方向へ搬送される。
【００４２】
ここで、給紙位置でのトラクタ１５は、セット位置でのトラクタ１５よりも、印字部２との距離が短くなり、連続用紙は印字部２に給紙される直前までピンベルト３１に動きが規制されて搬送されるため、連続用紙は搬送ミスや位置ズレを発生させずに印字部２に給紙され、印字ズレも防止される。
【００４３】
なお、搬送モータ４１は正逆回転可能であるため、連続用紙の搬送を終えて、所定の操作により搬送モータ４１が連続用紙を搬送させる方向と反対の方向に逆回転に駆動されると、カム軸４６に駆動力が伝達されて倒伏したカム板４８が起き上がり、ベース板２６を持ち上げて再びトラクタ１５はセット位置に変位する。このとき、電磁クラッチ４５への通電により搬送モータ４１の駆動力がカム板４８へ伝達されるが、所定の時間経過後に電磁クラッチ４５が解除されることで、回転ギヤ４７が回転しすぎてカム板４８がトラクタ１５の始端方向へ倒伏してしまうことが防止される。
【００４４】
また、本実施の形態は、トラクタ１５における連続用紙の搬送開始と、トラクタ１５のセット位置から給紙位置への変位動作とを連動させたが、トラクタ１５がセット位置と給紙位置とに変位自在であればよく、その変位動作が手動によって行われてもよい。また、支軸１６を中心とした回動を伴った変位動作に限られるものではない。
【図面の簡単な説明】
【００４５】
【図１】本実施の形態の事務機を概略的に示す縦断側面図である。
【図２】給紙位置におけるトラクタを示す斜視図である。
【図３】トラクタの一部を拡大して示す斜視図である。
【図４】セット位置におけるトラクタを概略的に示す側面図である。
【図５】セット位置におけるトラクタを概略的に示す斜視図である。
【図６】給紙位置におけるトラクタを概略的に示す側面図である。
【図７】給紙位置におけるトラクタを概略的に示す斜視図である。
【符号の説明】
【００４６】
Ｐ…プリンタ（事務機），１…ハウジング，２…印字部，３…印字ヘッド，４…プラテン，１０…排紙口，１５…トラクタ，１６…支軸，３１…ピンベルト，３２…ピン，３４…紙押え板，４０…連動機構
【図１】
0004484798.tif 000002
【図２】
0004484798.tif 000003
【図３】
0004484798.tif 000004
【図４】
0004484798.tif 000005
【図５】
0004484798.tif 000006
【図６】
0004484798.tif 000007
【図７】
0004484798.tif 000008